(57)【要約】      （修正有）【課題】高温の飲料と液状のアイスクリーム製品の双方を製造できる装置を提供する。【解決手段】第１の基本液状製品を加熱するためのボイラー２と、高温の種類の液状製品を加工するための第１のチャンバ３とを有し、第１の加工チャンバの出口に接続可能であり高温の製品を分注するための第１のディスペンスユニット７と、加工容器９と撹拌機１０とを備え、低温の種類の液状または半液状製品を製造するための基本原料を形成する高温の製品を受け入れるための混合冷却ユニット８と、第１の加工チャンバの出口５が加工容器内部に移送可能にする第１の配置と第１の加工チャンバの出口が第１のディスペンスユニットに作動可能に接続されて高温の製品を分注させる第２の配置とを切り替え可能な手段と、混合冷却ユニットと関連付けられる熱冷却系と、を備える。【選択図】図２
2017094053.tif 000002
【特許請求の範囲】
【請求項１】
高温のおよび低温の種類の液状食品および／または半液状食品を製造するための装置（１）であって、
−前記高温の種類の液状製品を加工するための第１のチャンバ（３）であって、第１の基本加熱液状製品を受け入れるよう構成され、かつ、第２の粉末状基本製品を収容して前記第１の基本加熱液状製品と前記第２の粉末状基本製品との接触を可能にするよう構成されている第１のチャンバと、
−前記第１の加工チャンバ（３）の出口に接続可能であり前記高温の製品を分注するためのディスペンスユニット（７）と、
−低温の種類の製品を製造するための混合冷却ユニット（８）であって、加工容器（９）と前記容器（９）内部に回転可能に搭載される撹拌機（１０）とを備え、前記混合冷却ユニット（８）が前記第１の加工チャンバ（３）の前記出口に接続可能であり前記低温の種類の液状または半液状製品を製造するための基本原料を形成する前記高温の製品を受け入れるための混合冷却ユニットと、
−前記混合冷却ユニット（８）と関連付けられる熱冷却系と、を備える装置。
【請求項２】
第１の基本液状製品を加熱するためのボイラー（２）をさらに備え、前記第１のチャンバ（３）は、少なくとも入口（１９）と出口（５）とを有し、前記入口（４）は、前記加熱ボイラー（２）に接続されて前記第１の基本加熱液状製品を受け入れる、請求項１に記載の装置。
【請求項３】
前記第１の基本液状製品を前記加熱ボイラー（２）から前記第１の加工チャンバ（３）に移送するための手段（６）をさらに備える、請求項２に記載の装置。
【請求項４】
前記第１の加工チャンバ（３）の前記出口を切り替えるための手段（１１）であって、前記第１の加工チャンバ（３）の前記出口（５）が前記混合冷却ユニット（８）に作動可能に接続されて高温の製品を前記混合冷却ユニット（８）の前記加工容器（９）に移送させる第１の配置と前記第１の加工チャンバ（３）の前記出口（５）が前記第１のディスペンスユニット（７）に作動可能に接続されて前記第１のディスペンサ（７）に高温の製品を送り出させる第２の配置とを切り替え可能な手段をさらに備える、請求項１から３のいずれか１項に記載の装置。
【請求項５】
作業者用の制御部を備え、かつ、指令の選択後、前記切替手段（１１）の前記制御を可能にして前記切替手段（１１）の前記配置を調節し、前記第１のディスペンスユニット（７）を介する高温の製品の前記分注または前記混合冷却ユニット（８）での前記低温の種類の製品の前記加工を可能にするよう構成されている駆動制御ユニット（１２）を備える、請求項１から４のいずれか１項に記載の装置（１）。
【請求項６】
前記移送手段（６）は、前記加熱ボイラー（２）と前記第１の加工チャンバ（３）との間にある接続管（１９）と、前記管（１９）に配置され前記第１の基本液状製品の圧力を増加させるためのポンプ（２０）と、を備える、請求項１から５のいずれか１項に記載の装置（１）。
【請求項７】
前記第１の加工チャンバ（３）は、高温の抽出飲料を加工するための抽出チャンバである、請求項１から６のいずれか１項に記載の装置（１）。
【請求項８】
粒状の製品を収容するための貯蔵部（１３ａ）および粒状の前記製品を粉砕しかつ粉末に変えるための粉砕部（１３ｂ）により形成され、かつ、前記第１の加工チャンバ（３）に接続されて粉末に粉砕された前記製品を前記第１の加工チャンバ（３）に送り出す、粒状の製品を粉砕するためのチャンバ（１３）を備える、請求項１から７のいずれか１項に記載の装置（１）。
【請求項９】
カプセルまたはポッドを装填するためのユニット（１４）であって、少なくとも１つのカプセルまたはポッドを収容するための台座部（１５）を有し、かつ、前記カプセルまたはポッドの前記第１の加工チャンバ（３）内部での前記装填を可能にするよう構成されているユニットを備える、請求項１から７のいずれか１項に記載の装置（１）。
【請求項１０】
さらなる基本製品を供給するための複数の容器（１６ａ、１６ｂ）であって、前記第１の加工チャンバ（３）および／または前記混合冷却ユニット（８）の前記加工容器（９）に接続することができる容器を備える、請求項１から９のいずれか１項に記載の装置（１）。
【請求項１１】
前記第１の加工チャンバ（３）の前記出口（５）を切り替えるための前記手段（１１）は、起動されて前記配置を前記上述の第１の配置および前記上述の第２の配置の間で切り替えることができる少なくとも１つの弁（１７）を備える、請求項１から１０のいずれか１項に記載の装置（１）。
【請求項１２】
前記第１の加工チャンバ（３）に脱着可能に配置され、前記第１の加工チャンバ（３）から流出する前記製品を濾過するためのフィルタ（１８）を備える、請求項１から１１のいずれか１項に記載の装置（１）。
【請求項１３】
前記混合冷却ユニット（８）の前記容器（９）に接続されて前記混合冷却ユニット（８）の前記容器（９）内部において製造される前記アイスクリームを外に送り出す第２のディスペンサ（２３）を備える、請求項１から１２のいずれか１項に記載の装置（１）。
【請求項１４】
選択的に、高温飲料様のまたはアイスクリームの食品を製造するための方法であって、
−第１の加工チャンバ（３）を準備するステップと、
−粉末状のまたは葉の形状の基本製品を前記第１の加工チャンバ（３）に投入するステップと、
−水または水溶液を７０℃超の温度で前記第１の加工チャンバ（３）に投入して、前記第１の加工チャンバ（３）内において、抽出または浸出により、前記高温飲料様の製品を製造するためのステップと、
−前記高温飲料様の前記製品を前記第１の加工チャンバ（３）から抽出するステップと、
−選択的に、前記高温飲料様の前記製品を分注し、または、以下のステップを実行するステップと、
−前記高温飲料様の前記製品を混合冷却ユニット（８）の加工容器（９）内部に入れるステップと、
−前記加工容器（９）内においてアイスクリーム製品用のさらなる基本製品を加えるステップと、
−アイスクリーム様の製品を製造するまで、前記加工容器（９）内において、前記高温飲料様の前記製品を前記さらなる基本製品と共に同時に撹拌および０℃未満の温度での冷却を施すステップと、
−前記アイスクリーム様の前記製品を前記加工容器（９）から抽出するステップと、を備える方法。
【請求項１５】
水または水溶液を前記第１の加工チャンバ（３）に投入する前記ステップは、所定の分量の水または所定の水溶液を５００ｋＰａ超の圧力で投入するステップを備える、請求項１４に記載の方法。
【請求項１６】
前記水または水溶液が前記第１の加工チャンバ（３）内にとどまる時間は、３０秒未満である、請求項１４または１５に記載の方法。
【請求項１７】
前記高温飲料様の前記製品を前記さらなる基本製品と共に同時に撹拌および０℃未満の温度での冷却を施す前記ステップは、前記高温飲料様の前記製品を前記さらなる基本製品と共に−５℃から−１５℃の間の温度で冷却するステップを備える、請求項１４から１６のいずれか１項に記載の方法。
【請求項１８】
粉砕チャンバ（１３）を準備するステップと、粉末状のまたは葉の形状の基本製品を前記第１の加工チャンバ（３）に投入するステップと、を備える、請求項１４から１７のいずれか１項に記載の方法。
【請求項１９】
請求項１４から１８のいずれか１項に記載の方法により得られるアイスクリームであって、粉末状のまたは葉の形状の基本製品を前記第１の加工チャンバ（３）に投入する前記ステップは、粉末状のまたは葉の形状の前記基本製品を収容するカプセルまたはポッドを準備するステップと、前記カプセルまたはポッドを前記第１の加工チャンバ（３）に投入するステップと、を備える、アイスクリーム。
【請求項２０】
請求項１４から１９のいずれか１項に記載の方法により得られる、アイスクリーム。
【発明の詳細な説明】
【技術分野】
【０００１】
本発明は、高温の飲料および高温の飲料に基づくアイスクリームなどの液状製品および／または半液状製品を製造するための装置および方法に関する。
【背景技術】
【０００２】
通常、この業界の店舗は、たとえば、コーヒー、カプチーノなどの高温の飲料を（抽出／浸出によって）製造するための装置および低温の製品（アイスクリーム）を製造するための装置を有する。
【０００３】
なお、そのため、店舗の客に（抽出／浸出によって得られる）高温の飲料およびアイスクリーム製品の双方を販売することができるようにするために、商店経営者は、いくつかの異なる装置を必要とするが、装置は、大量の床面積を占め、かつ、保守および清掃を周期的に必要とする。
【０００４】
かくして、液状製品および半液状製品を製造するための、および、高温の飲料と液状のアイスクリーム製品および／または半液状のアイスクリーム製品との双方を製造することが可能な装置を有することの必要性が業界の作業者に特に強く感じられている。
【発明の概要】
【０００５】
そのため、本発明の目的は、液状製品および半液状製品を製造するための、および、高温の飲料と液状のアイスクリーム製品および／または半液状のアイスクリーム製品との双方を製造することを可能にする装置を提供することにより、上述の必要性を満たすことにある。
【０００６】
本発明のさらなる目的は、液状製品および半液状製品を製造するための、高温の飲料と液状のアイスクリーム製品および／または半液状のアイスクリーム製品との双方を製造することを可能にし、かつ、特に簡単に使用できる装置を提供することにある。
【０００７】
本発明のさらに他の目的は、液状製品および半液状製品を製造するための、高温の飲料と液状のアイスクリーム製品および／または半液状のアイスクリーム製品との双方を製造することを可能にし、かつ、特に簡単に清掃および保守することができる装置を提供することにある。
【０００８】
本発明によれば、本発明の対象を構成し、高温飲料様およびアイスクリーム様の双方の液状または半液状製品を製造するための装置および方法であって、添付の１つまたは複数の請求項に記載の技術的特徴を備える装置および方法によって上述の目的が達成される。
【０００９】
上述の目的は、高温のおよび低温の種類の液状食品および／または半液状食品を製造するための装置であって、
−高温の種類の液状製品を加工するための第１のチャンバであって、第１の基本加熱液状製品を受け入れるよう構成され、かつ、第２の粉末状基本製品を収容して第１の基本加熱液状製品と第２の粉末状基本製品との接触を可能にするよう構成されている第１のチャンバと、
−第１の加工チャンバの出口に接続可能であり高温の製品を分注するためのディスペンスユニットと、
−低温の種類の製品を製造するための混合冷却ユニットであって、加工容器と容器内部に回転可能に搭載される撹拌機とを備え、混合冷却ユニットが第１の加工チャンバの出口に接続可能であり低温の種類の液状または半液状製品を製造するための基本原料を形成する高温の製品を受け入れるための、混合冷却ユニットと、
−混合冷却ユニットと関連付けられる熱冷却系と、を備える装置によって達成される。
【００１０】
また、上述の目的は、選択的に、高温飲料様のまたはアイスクリーム様の食品を製造するための方法であって、
−第１の加工チャンバを準備するステップと、
−粉末状のまたは葉の形状の基本製品を第１の加工チャンバに投入するステップと、
−水または水溶液（ｗａｔｅｒ−ｂａｓｅｄ  ｍｉｘｔｕｒｅ）を７０℃超の温度で第１の加工チャンバに投入して、第１の加工チャンバ内において、抽出または浸出により、高温飲料様の製品を製造するためのステップと、
−高温飲料様の製品を第１の加工チャンバから抽出するステップと、
−選択的に、高温飲料様の製品を分注し、または、以下のステップを実行するステップと、
−高温飲料様の製品を混合冷却ユニットの加工容器内部に入れるステップと、
−加工容器内においてアイスクリーム製品用のさらなる基本製品を加えるステップと、
−アイスクリーム様の製品を製造するまで、加工容器内において、高温飲料様の製品をさらなる基本製品と共に同時に撹拌および０℃未満の温度での冷却を施すステップと、
−アイスクリーム様の製品を加工容器から抽出するステップと、を備える方法によって達成される。
【図面の簡単な説明】
【００１１】
上記の目的に関連する本発明の技術的特徴は、添付の特許請求の範囲に明確に記載されており、その利点は、本発明の例示の実施形態を示す添付の図面を参照した以下の詳細な説明から明らかとなろう。また、例示の実施形態は、好ましいものであり本発明を限定するものではない。
【００１２】
【図１】高温のまたは低温の製品を製造するための本発明の装置の概略図である。
【図２】高温のまたは低温の製品を製造するための本発明の装置の第１実施形態の概略図である。
【図３】高温のまたは低温の製品を製造するための本発明の装置の第２実施形態の概略図である。
【発明を実施するための形態】
【００１３】
添付図面を参照すれば、符号１は、本発明に係る高温のまたは低温の液状製品および／または半液状製品を製造するための装置を示す。
【００１４】
なお、また、好ましくは、この装置は、アイスクリーム製造機であり、すなわち、この装置は、アイスクリームを製造することを可能にする。
【００１５】
好ましい実施形態において、高温のおよび低温の（アイスクリーム）種類の液状食品および／または半液状食品を製造するための装置１は、
−第１の基本液状製品を加熱するためのボイラー２と、
−高温の種類の液状製品を加工するための第１のチャンバ３であって、少なくとも１つの入口４と１つの出口５とを有し、入口が加熱ボイラー２に接続されて加熱ボイラー２から第１の基本加熱液状製品を受け入れ、および、第２の粉末状基本製品を収容するよう構成される（第１のチャンバ３は、第１の基本加熱液状製品と第２の粉末状基本製品との接触を可能にする）第１のチャンバと、
−第１の基本液状製品を加熱ボイラー２から第１の加工チャンバ３に移送するための手段６と、
−第１の加工チャンバ３の出口に接続可能であり高温の製品を分注するための第１のディスペンスユニット７と、
−低温の種類の製品（アイスクリーム）を製造するための混合冷却ユニット８であって、加工容器９と容器９内部に回転可能に搭載される撹拌機１０とを備え、混合冷却ユニット８が第１の加工チャンバ３の出口に接続可能であり低温の種類の液状または半液状製品を製造するための基本原料を形成する高温の製品を受け入れるための混合冷却ユニットと、
−混合冷却ユニット８と関連付けられる熱冷却系と、
−第１の加工チャンバ３の出口を切り替えるための手段１１であって、第１の加工チャンバ３の出口５が混合冷却ユニット８に作動可能に接続されて高温の製品を混合冷却ユニット８の加工容器９に移送させる第１の配置と第１の加工チャンバ３の出口５が第１のディスペンスユニット７に作動可能に接続されて高温の製品を分注させる第２の配置とを切り替え可能な手段と、を備える。
【００１６】
装置１の上述の特徴の幾つかの態様を以下により詳細に記載する。
【００１７】
好ましくは、混合冷却ユニット８と関連付けられる熱冷却系は、混合冷却ユニット８の容器９と関連付けられる熱交換器を備える。
【００１８】
好ましくは、熱冷却系は、圧縮器を備える。
【００１９】
好ましくは、熱冷却系は、熱交換流体を介して熱交換することにより、熱力学サイクルに従って作動する。
【００２０】
加熱ボイラー２は、（図２および図３に示す）水または水との混合物（ｗａｔｅｒ  ｍｉｘｔｕｒｅ）を収容するための容器を備える。
【００２１】
また、加熱ボイラー２は、好ましくは、（好ましくは電気）ヒータ２ａを備える。
【００２２】
さらに、ボイラー２の容器は、水道の本管に接続されて／接続可能で、内部の液体の水位を頂点に届かせる。
【００２３】
他の態様によれば、ボイラー２の容器は、管１９によって、第１の加工チャンバ３に接続される。
【００２４】
なお、管１９は、移送ポンプ２０を収容できる。
【００２５】
移送ポンプ２０および管１９は、第１の基本液状製品を加熱ボイラー２から第１の加工チャンバ３に移送するための手段６を画定する。
【００２６】
なお、好ましくは、装置は、遮断弁２１を備える。遮断弁２１は、管１９と作動可能に関連付けられ、かつ、液体を流れさせる開配置と液体が流れることを防止する閉配置とを切り替え可能である。
【００２７】
移送ポンプ２０は、第１の基本液状製品が所定の圧力で第１の加工チャンバ３に到達するように、第１の基本液状製品（水または水溶液）の圧力を増加させるよう設計されている。
【００２８】
好ましくは、所定の圧力は、５００ＫＰａよりも大きく、なおより好ましくは８００ＫＰａよりも大きい。
【００２９】
他の態様によれば、装置１は、駆動制御ユニット１２を備える。駆動制御ユニット１２は、作業者用の制御部を備え、かつ、指令の選択後、切替手段１１の制御を可能にして切替手段１１の配置を調節し、第１のディスペンスユニット７を介する高温の製品の分注または混合冷却ユニット８内での低温の種類の製品の加工を可能にするよう構成されている。
【００３０】
なお、好ましくは、切替手段１１は、弁（なおより好ましくは、三方弁であり、入口分岐がチャンバ３に接続され、かつ、２つの出口が、選択的におよびそれぞれが混合冷却ユニット８とおよび第１のディスペンスユニット７と連通するよう構成される）を備える。
【００３１】
駆動制御ユニット１２は、ポンプ２０を起動し、弁（２１、１７）、冷凍装置（実質的に周知の種類なので図示せず）、撹拌機１０、ボイラー２のヒータ、容器（１６ａ、１６ｂ）からの原料の送り出しを調節する操作のうち、１つまたは複数の操作を実行する。
【００３２】
なお、有利なことに、ユーザは、同じ装置１を使用して、高温の製品または前もって準備される高温の飲料の風味を有する低温の製品（アイスクリーム）を準備することができる。
【００３３】
かくして、有利なことに、商店経営者は、単一の装置１を用いて、高温のおよび低温の双方の２つのまたはそれ以上の種類の製品を準備することができる。
【００３４】
有利なことに、単一の装置１を用いて高温のおよび低温の双方の２つのまたはそれ以上の種類の製品を準備することができるという事実により、占められる店舗の床面積と装置自体を清掃および保守するために必要な時間とを低減することが可能である。
【００３５】
なお、また、このように画定された装置１は、装置１がアイスクリーム様の製品を、すなわち、高温の飲料の風味を有するアイスクリームを高温の飲料から製造することが可能であるという点で特に革新的であり、かくして、簡単に推測されるように、装置１は、大いに評価される感覚受容性の特性を有する特に革新的な製品を製造することが可能である。
【００３６】
なお、このような装置を用いれば、同じ装置によって製造される高温の飲料（コーヒー、カプチーノ、茶または抽出または浸出により製造される他の飲料）の風味を有する低温のアイスクリーム様の製品を迅速に製造することにより、全体の生成時間を大幅に低減可能にする。
【００３７】
他の態様によれば、好ましくは、第１の加工チャンバ３は、高温の抽出飲料（コーヒー、カプチーノなど）を加工するための抽出チャンバである。
【００３８】
他の態様によれば（図３の実施形態）、装置１は、粒状の製品を粉砕するためのチャンバ１３を備える。チャンバ１３は、粒状の製品を収容するための貯蔵部１３ａおよび粒状の製品を粉砕しかつ粉末に変えるための粉砕部１３ｂにより形成され、かつ、第１の加工チャンバ３に接続されて粉末に粉砕された製品を第１の加工チャンバ３に送り出すものである。
【００３９】
粉砕チャンバ１３によって、高温の飲料を（抽出または浸出により）得るために用いられる基本製品は、粒状の状態で装置に直接保存しかつ使用時において粉砕することができ、かくして、得られる最終製品の感覚受容性の質が向上する。
【００４０】
図２に示す実施形態において、装置１は、カプセルまたはポッドを装填するためのユニット１４を備える。ユニット１４は、少なくとも１つのカプセルまたはポッドを収容するための台座部１５を有し、かつ、カプセルまたはポッドの第１の加工チャンバ３内部での装填を可能にするよう構成されている。
【００４１】
この実施形態によれば、高温の飲料は、カプセルまたはポッドに入れられる基本調製品（原料）から製造される。カプセルまたはポッドは、装填ユニット１４によって装置内で使用されるために装填される。
【００４２】
好ましくは、カプセルまたはポッドは、粉末を収容する。
【００４３】
なお、第１実施形態において、カプセルまたはポッドは、フィルタ材料を備える。
【００４４】
さらに、他の態様によれば、装置１は、（高温飲料様および／またはアイスクリーム様の製品用の）さらなる基本製品を供給するための複数の容器１６ａ、１６ｂを備える。容器１６ａ、１６ｂは、第１の加工チャンバ３および／または混合冷却ユニット８の加工容器９に接続することができる。
【００４５】
さらなる基本製品は、たとえば、砂糖または牛乳を備えてもよい。
【００４６】
さらに他の態様によれば、第１の加工チャンバ３の出口５を切り替えるための手段１１は、少なくとも１つの弁１７を備える。弁１７は、起動されて配置を上述の第１の配置および第２の配置の間で切り替えることができる。
【００４７】
好ましくは、弁１７は、三方弁である。
【００４８】
さらに他の態様によれば、装置１は、フィルタ１８を備える。フィルタ１８は、第１の加工チャンバ３に脱着可能に配置され、第１の加工チャンバ３から流出する製品を濾過する。
【００４９】
また、装置１は、第２のディスペンサ２３を備える。第２のディスペンサ２３は、混合冷却ユニット８の容器９に接続されて混合冷却ユニット８の容器９内部において製造されるアイスクリームを外に送り出す。
【００５０】
装置１がどのように用いられるかについて、以下において簡潔に説明する。本発明のさらなる幾つかの利点はこの説明から推測することができる。
【００５１】
装置１により、商店経営者（ユーザ）は、高温飲料様の製品またはジェラートなどのアイスクリーム様の製品を製造することができる。
【００５２】
高温飲料様の製品を製造するために、最初に、基本溶質が第１の加工チャンバ３内に（カプセルまたはポッドにより、または、粉砕チャンバ１３の容器１３ａから基本溶質を引き出すことにより）入れられ、そして、（加熱ボイラー２において）前もって加熱された水が加工チャンバ３に送り出される。
【００５３】
そのため、ポンプ２０は、起動されてボイラー２から第１の加工チャンバ３に水を移送する。
【００５４】
製造される（浸出または抽出）製品の種類によって、水は、抽出または浸出によって高温飲料様の製品を製造するために、所定の時間の間加工チャンバ３内において保持される。
【００５５】
混合チャンバの出口５は、切替手段１１（弁１７）の配置によって、すなわち、ユーザによって設定される選択またはプログラムによって、第１のディスペンスユニット７または混合冷却ユニット８の容器９に選択的に接続される。
【００５６】
ユーザが高温の飲料を分注することを必要とする場合、混合チャンバの出口５は、高温の飲料がディスペンスユニット７を介して（下方の提供容器またはカップに）送り出されるように第１のディスペンスユニット７に選択的に接続される。
【００５７】
一方、製造される製品が高温の飲料に基づくアイスクリームである場合、混合チャンバの出口５は、混合冷却ユニット８の容器９に選択的に接続される。
【００５８】
このように、高温の飲料は、混合冷却ユニット８の容器９に移送される。
【００５９】
好ましくは、混合冷却ユニット８の容器９は、管２２を経由して第１の加工チャンバ３に接続される。この管２２を介して、製品が第１の加工チャンバ３から混合冷却ユニット８の容器９に移送される。
【００６０】
同時に、基本アイスクリーム混合物（たとえば、牛乳および／または砂糖）を製造するのに必要な他の原料を混合冷却ユニット８の容器９に移送することができる。
【００６１】
好ましくは、これらのさらなる原料は、装置内の容器１６ａ、１６ｂから引き出される。
【００６２】
次に、駆動制御ユニット１２は、冷凍装置を起動して容器９の壁を介して混合冷却ユニット８の容器９の中身を冷却し、かつ、同時に、撹拌機１０を回転させる。
【００６３】
冷却および同時に撹拌機１０による混合物の撹拌を行うと、混合物が空気を取り込み、かつ、初めに用いられる基本飲料の風味を有するアイスクリームになる（たとえば、容器９に供給される高温飲料様の製品がコーヒーの場合、コーヒー風味のアイスクリームが得られる）。
【００６４】
そして、かくして得られるアイスクリームは、第２のディスペンスユニット２３を介して分注される。
【００６５】
かくして、２つの別々の製品、つまり、高温の飲料と前もって製造される高温の飲料の風味を有するアイスクリーム製品とを製造することができることは明らかである。
【００６６】
また、他の態様によれば、選択的に、高温飲料様のまたはアイスクリーム様の食品を製造するための方法が規定されている。
【００６７】
この方法は、
−第１の加工チャンバ３を準備するステップと、
−粉末状のまたは葉の形状の基本製品を第１の加工チャンバ３に投入するステップと、
−水または水溶液を７０℃超の温度で第１の加工チャンバ３に投入して、第１の加工チャンバ３内において、抽出または浸出により、高温飲料様の製品を製造するためのステップと、
−高温飲料様の製品を第１の加工チャンバ３から抽出するステップと、
−選択的に、高温飲料様の製品を分注し、または、以下のステップを実行するステップと、
−高温飲料様の製品を混合冷却ユニット８の加工容器９内部に入れるステップと、
−加工容器９内においてアイスクリーム製品用のさらなる基本製品を加えるステップと、
−（加工製品に空気を徐々に取り込ませることにより）アイスクリーム様の製品を製造するまで、加工容器９内において、高温飲料様の製品をさらなる基本製品と共に同時に撹拌および０℃未満の温度での冷却を施すステップと、
−アイスクリーム様の製品を加工容器９から抽出するステップと、を備える。
【００６８】
また、好ましくは、アイスクリーム様食品を製造するための方法が規定されている。
【００６９】
この方法は、
−第１の加工チャンバ３を準備するステップと、
−粉末状のまたは葉の形状の基本製品を第１の加工チャンバ３に投入するステップと、
−水または水溶液を７０℃超の温度で第１の加工チャンバ３に投入して、第１の加工チャンバ３内において、抽出または浸出により、高温飲料様の製品を製造するためのステップと、
−高温飲料様の製品を第１の加工チャンバ３から抽出するステップと、
−高温飲料様の製品を混合冷却ユニット８の加工容器９内部に入れるステップと、
−加工容器９内においてアイスクリーム製品用のさらなる基本製品を加えるステップと、
−（加工製品に空気を徐々に取り込ませることにより）アイスクリーム様の製品を製造するまで、加工容器９内において、高温飲料様の製品をさらなる基本製品と共に同時に撹拌および０℃未満の温度での冷却を施すステップと、
−アイスクリーム様の製品を加工容器９から抽出するステップと、を備える。
【００７０】
なお、有利なことに、この方法は、抽出または浸出により得られる高温の飲料からアイスクリーム様の製品を製造することを可能にする。
【００７１】
好ましくは、他の態様によれば、水または水溶液を第１の加工チャンバ３に投入するステップは、所定の分量の水または所定の水溶液を５００ｋＰａ超の圧力で投入するステップを備える。
【００７２】
他の態様によれば、水または水溶液が第１の加工チャンバ３内にとどまる時間は、３０秒未満である。
【００７３】
さらに他の態様によれば、高温飲料様の製品をさらなる基本製品と共に同時に撹拌および０℃未満の温度で冷却を施すステップは、高温飲料様の製品をさらなる基本製品と共に−５℃から−１５℃の間の温度で冷却するステップを備える。
【００７４】
さらなる態様によれば、この方法は、粉砕チャンバ１３を準備するステップと、粉末状のまたは葉の形状の基本製品を第１の加工チャンバ３に投入するステップと、を備える。
【００７５】
他の態様によれば、粉末状のまたは葉の形状の基本製品を第１の加工チャンバ３に投入するステップは、粉末状のまたは葉の形状の基本製品を収容するカプセルまたはポッドを準備するステップと、カプセルまたはポッドを第１の加工チャンバ３に投入するステップと、を備える。
【００７６】
なお、また、高温の飲料から製造される新規の種類のアイスクリーム製品は、本発明によって規定されており、製品は、周知の種類のアイスクリームが所有しない感覚受容性の特性を特徴とする。
【００７７】
高温の飲料は、アイスクリーム製品に、特定の分子の構造体を与える。この構造体は、周知の種類のアイスクリームの構造体とは異なる。この点で、ユーザにとって特段の魅力を有する独特な感覚受容性の特性を所有する製品が形成される。
【図１】
2017094053.tif 000003
【図２】
2017094053.tif 000004
【図３】
2017094053.tif 000005
【外国語明細書】
2017094053000001.pdf